(57)【要約】【課題】何回もはさみを動かすことなく、対象物を細かく切断することができるはさみを提供する。【解決手段】はさみ（１００）は、相互に平行に、かつ、相互に同期して動くように配置された５対の刃（１０１、１０２、１０３、１０４、１０５）を有している。【選択図】図１
0003125284.tif 000002
【実用新案登録請求の範囲】
【請求項１】
相互に平行に、かつ、相互に同期して動くように配置されたＮ対（Ｎは２以上の正の整数）の刃を有するはさみ。
【請求項２】
相互に平行に、かつ、相互に同期して動くように配置されたＮ対（Ｎは２以上の正の整数）の刃を有するはさみであって、
各対の刃のうちの一方の刃はギザギザ形状に形成されているはさみ。
【請求項３】
相互に平行に、かつ、相互に同期して動くように配置されたＮ対（Ｎは２以上の正の整数）の刃を有するはさみであって、
各対の刃のうちの一方の刃は他方の刃に対して凸になるような円弧形状に形成されているはさみ。
【請求項４】
相互に平行に、かつ、相互に同期して動くように配置されたＮ対（Ｎは２以上の正の整数）の刃を有するはさみであって、
各対の刃のうちの一方の刃は他方の刃に対して凸になるような円弧形状に、かつ、ギザギザ形状に形成されているはさみ。
【考案の詳細な説明】
【技術分野】
【０００１】
本考案ははさみに関する。
【背景技術】
【０００２】
従来のはさみは一対の刃を有しており、この一対の刃を回転軸を中心として回動させ、相互に開閉させることにより、対象物を切断していた。
【０００３】
はさみを用いて対象物を細かく切断する必要がある場合、例えば、機密文書を細かく切断する必要がある場合には、切断後の対象物の小ささに応じて、何回もはさみを動かすことが必要であった。
【考案の開示】
【考案が解決しようとする課題】
【０００４】
また、近年では、ＣＤその他の磁気的または光学的ディスクにデータを格納しておくことが多く、このようなディスクが不要になった場合、そのディスクに格納されていたデータの漏出を防止するため、ディスクそのものを切断して、ディスクを使用不能にする必要が生じる場合がある。
【０００５】
そのような場合、従来のはさみでディスクを切断するためには、多くの力を必要とし、効率的にディクスを切断することは不可能であった。
【０００６】
本考案は以上のような問題点に鑑みてなされたものであり、何回もはさみを動かすことなく、対象物を細かく切断することができ、さらに、ディスクなどの比較的固いものでも容易に切断することができるはさみを提供することを目的とする。
【課題を解決するための手段】
【０００７】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００８】
上記の目的を達成するため、本考案は、相互に平行に、かつ、相互に同期して動くように配置されたＮ対（Ｎは２以上の正の整数）の刃（１０１、１０２、１０３、１０４、１０５）を有するはさみ（１００）を提供する。
【０００９】
また、本考案は、相互に平行に、かつ、相互に同期して動くように配置されたＮ対（Ｎは２以上の正の整数）の刃（１０１、１０２、１０３、１０４、１０５）を有するはさみであって、各対の刃のうちの一方の刃はギザギザ形状（２０１）に形成されているはさみを提供する。
【００１０】
また、本考案は、相互に平行に、かつ、相互に同期して動くように配置されたＮ対（Ｎは２以上の正の整数）の刃（１０１、１０２、１０３、１０４、１０５）を有するはさみであって、各対の刃のうちの一方の刃は他方の刃に対して凸になるような円弧形状（３０１）に形成されているはさみを提供する。
【００１１】
また、本考案は、相互に平行に、かつ、相互に同期して動くように配置されたＮ対（Ｎは２以上の正の整数）の刃（１０１、１０２、１０３、１０４、１０５）を有するはさみであって、各対の刃のうちの一方の刃は他方の刃に対して凸になるような円弧形状（４０１）に、かつ、ギザギザ形状（４０２）に形成されているはさみを提供する。
【考案の効果】
【００１２】
本考案に係るはさみはＮ対の刃を有しているため、同じ回数だけはさみの開閉動作を行っても、従来のはさみと比較して、Ｎ倍の長さの切断を行うことが可能である。このため、従来のはさみでは、切断後の対象物の小ささに応じて、何回もはさみを動かすことが必要であったが、本考案に係るはさみによれば、従来のはさみの開閉動作の数の１／Ｎの数の開閉動作で従来のはさみと同長の切断を行うことが可能であり、従来のはさみのように何回もはさみを動かすことなく、対象物を細かく切断することができる。
【００１３】
また、各対の刃のうちの一方の刃にはギザギザ形状及び円弧形状のいずれか一方または双方が形成されているため、磁気ディスクその他の樹脂製品などの比較的固いものでも切断することができる。
【考案を実施するための最良の形態】
【００１４】
（第一の実施形態）
図１は本考案の第一の実施形態に係るはさみ１００の斜視図である。
【００１５】
本実施形態に係るはさみ１００は５連刃式のはさみである。
【００１６】
図１に示すように、本実施形態に係るはさみ１００は、第一の対の２枚の刃１０１と第二の対の２枚の刃１０２と、第三の対の２枚の刃１０３と、第四の対の２枚の刃１０４と、第五の対の２枚の刃１０５と、を備えている。
【００１７】
第三の対の２枚の刃１０３は、刃が形成されている側とは反対側の端部において、他の対の２枚の刃１０１、１０２、１０４、１０５よりも延長して形成されており、この延長されている部分に把手１０６が接続されている。
【００１８】
第一乃至第五の各対の刃１０１、１０２、１０３、１０４、１０５はそれらの回転軸において回転主軸１０７に回転可能に取り付けられている。
【００１９】
さらに、第一乃至第五の各対の刃１０１、１０２、１０３、１０４、１０５はそれらの刃が形成されている端部とは反対側の端部において、固定軸１０８に固定的に取り付けられている。
【００２０】
回転主軸１０７に取り付けられ、かつ、固定軸１０８に取り付けられた状態においては、第一乃至第五の各対の刃１０１、１０２、１０３、１０４、１０５は相互に平行であり、かつ、相互に等間隔に配置されている。
【００２１】
以上のように、第一乃至第五の各対の刃１０１、１０２、１０３、１０４、１０５はそれらの回転軸において回転主軸１０７に回転可能に相互に連結され、かつ、それらの一端（刃が形成されている端部とは反対側の端部）において固定軸１０８により相互に固定されているため、第一乃至第五の各対の刃１０１、１０２、１０３、１０４、１０５は同期して開閉する。
【００２２】
以上のように、本実施形態に係るはさみ１００は５対の刃１０１、１０２、１０３、１０４、１０５を有しているため、同じ回数だけはさみの開閉動作を行っても、従来のはさみと比較して、５倍の長さの切断を行うことが可能である。
【００２３】
このため、従来のはさみでは、切断後の対象物の小ささに応じて、何回もはさみを動かすことが必要であったが、本実施形態に係るはさみ１００によれば、従来のはさみの開閉動作の数の１／５の数の開閉動作で従来のはさみと同長の切断を行うことが可能であり、従来のはさみのように何回もはさみを動かすことなく、対象物を細かく切断することができる。
【００２４】
なお、本実施形態に係るはさみ１００は５対の刃１０１、１０２、１０３、１０４、１０５を有するものとして形成されているが、刃の対の数は５に限定されない。刃の対の数としては、２以上の任意の数を選定することができる。
【００２５】
（第二の実施形態）
図２は本考案の第二の実施形態に係るはさみにおける各刃の部分的な平面図である。
【００２６】
本考案の第二の実施形態に係るはさみにおいては、図２に示すように、各対の刃１０１、１０２、１０３、１０４、１０５のうちの一方の刃にはギザギザ形状２０１が形成されている。ギザギザ形状２０１が形成されている点を除いて、本考案の第二の実施形態に係るはさみは第一の実施形態に係るはさみ１００と同一の構造を有している。
【００２７】
本考案の第二の実施形態に係るはさみは第一の実施形態に係るはさみ１００による効果に加えて、次のような効果を奏する。
【００２８】
本考案の第二の実施形態に係るはさみによれば、各対の刃１０１、１０２、１０３、１０４、１０５のうちの一方の刃にはギザギザ形状２０１が形成されているため、磁気ディスクその他の樹脂製品などの比較的固いものでも切断することができる。
【００２９】
このため、第一の実施形態に係るはさみ１００による効果と相まって、樹脂製品などの比較的固いものであっても、数少ないはさみの開閉動作により、対象物を細かく切断することができる。
【００３０】
（第三の実施形態）
図３は本考案の第三の実施形態に係るはさみにおける各刃の部分的な平面図である。
【００３１】
本考案の第三の実施形態に係るはさみにおいては、図３に示すように、各対の刃１０１、１０２、１０３、１０４、１０５のうちの一方の刃は他方の刃に対して凸になるような円弧形状３０１に形成されている。円弧形状３０１に形成されている点を除いて、本考案の第三の実施形態に係るはさみは第一の実施形態に係るはさみ１００と同一の構造を有している。
【００３２】
本考案の第三の実施形態に係るはさみは第二の実施形態に係るはさみと同様の効果を奏する。すなわち、本考案の第三の実施形態に係るはさみによっても、磁気ディスクその他の樹脂製品などの比較的固いものでも切断することができ、かつ、数少ないはさみの開閉動作により、対象物を細かく切断することができる。
【００３３】
（第四の実施形態）
図４は本考案の第四の実施形態に係るはさみにおける各刃の部分的な平面図である。
【００３４】
本考案の第四の実施形態に係るはさみにおいては、図４に示すように、各対の刃１０１、１０２、１０３、１０４、１０５のうちの一方の刃は他方の刃に対して凸になるような円弧形状４０１に形成されているとともに、各対の刃１０１、１０２、１０３、１０４、１０５のうちの一方の刃にはギザギザ形状４０２が形成されている。円弧形状３０１に形成されている点及びギザギザ形状４０２が形成されている点を除いて、本考案の第四の実施形態に係るはさみは第一の実施形態に係るはさみ１００と同一の構造を有している。
【００３５】
本考案の第四の実施形態に係るはさみは第二の実施形態に係るはさみと同様の効果を奏する。すなわち、本考案の第四の実施形態に係るはさみによっても、磁気ディスクその他の樹脂製品などの比較的固いものでも切断することができ、かつ、数少ないはさみの開閉動作により、対象物を細かく切断することができる。
【図面の簡単な説明】
【００３６】
【図１】本考案の第一の実施形態に係るはさみの斜視図である。
【図２】本考案の第二の実施形態に係るはさみにおける各刃の部分的な平面図である。
【図３】本考案の第三の実施形態に係るはさみにおける各刃の部分的な平面図である。
【図４】本考案の第四の実施形態に係るはさみにおける各刃の部分的な平面図である。
【符号の説明】
【００３７】
１００  本考案の第一の実施形態に係るはさみ
１０１  第一の対の２枚の刃
１０２  第二の対の２枚の刃
１０３  第三の対の２枚の刃
１０４  第四の対の２枚の刃
１０５  第五の対の２枚の刃
１０６  把手
１０７  回転主軸
１０８  固定軸
２０１  ギザギザ形状
３０１  円弧形状
４０１  円弧形状
４０２  ギザギザ形状
【図１】
0003125284.tif 000003
【図２】
0003125284.tif 000004
【図３】
0003125284.tif 000005
【図４】
0003125284.tif 000006